(57)【要約】【課題】瓦本体下面の突起と屋根下地材との間に楔状介装材を容易かつ精度良く介装させることができる支持瓦における介装用治具を提供する。【解決手段】ソーラーパネル等の屋根上装置を支持する支持瓦の下面には、屋根下地材に対向する突起が形成されている。介装用治具２６は、屋根下地材と突起との間に楔状介装材２４を介装させた支持瓦の瓦葺き構造を形成する際に用いられ、楔状介装材２４を屋根下地材と突起との間に介装させるための治具である。この介装用治具２６の治具本体としてのアングル材２７には、楔状介装材２４を着脱可能に把持する把持部としての各一対の挟持体２８、２９が設けられている。アングル材２７は、金属により断面Ｌ字状に形成されている。各一対の挟持体２８、２９は、アングル材２７の外側面に対して直交方向に平行に延びている。また、挟持体２８、２９は、弾力性を有するゴム材料で形成されている。【選択図】図１
2016047991.tif 000002
【特許請求の範囲】
【請求項１】
屋根上装置を支持する支持部を有する支持瓦の瓦本体の下面に屋根下地材に対向する突起を形成し、前記屋根下地材と突起との間に楔状介装材を介装させた支持瓦の瓦葺き構造を形成する際に用いられ、前記楔状介装材を屋根下地材と突起との間に介装させるための治具であって、
前記治具を構成する治具本体には、前記楔状介装材を着脱可能に把持する把持部を備えることを特徴とする支持瓦における介装用治具。
【請求項２】
前記把持部は、楔状介装材を着脱可能に挟持する一対の挟持体で構成されていることを特徴とする請求項１に記載の支持瓦における介装用治具。
【請求項３】
前記挟持体の少なくとも一方はゴム材料で形成されていることを特徴とする請求項２に記載の支持瓦における介装用治具。
【請求項４】
前記治具本体は金属により断面Ｌ字状に形成されたアングル材で構成されていることを特徴とする請求項２又は請求項３に記載の支持瓦における介装用治具。
【請求項５】
前記挟持体は、アングル材の外側面に対して直交方向に平行に延びるように突出形成されていることを特徴とする請求項４に記載の支持瓦における介装用治具。
【請求項６】
前記突起は瓦本体の下面の両側部に設けられ、それらの突起と屋根下地材との間に楔状介装材が介装されるとともに、治具本体には前記楔状介装材を着脱可能に把持する把持部が設けられていることを特徴とする請求項１から請求項５のいずれか１項に記載の支持瓦における介装用治具。
【発明の詳細な説明】
【技術分野】
【０００１】
本発明は、太陽光発電用のソーラーパネル、温水器等の屋根上装置を支持する支持瓦を屋根下地材上に敷設する場合、楔状介装材を瓦本体の下面に設けられた突起と屋根下地材との間に介装するときに使用される支持瓦における介装用治具に関する。
【背景技術】
【０００２】
従来、建築物の屋根の瓦葺き構造において、ソーラーパネル等の屋根上装置を屋根上に敷設する場合には、屋根上装置の支持脚を支持する支持部を備えた支持瓦が普通瓦に代えて所定箇所に配置される。この支持瓦は上面に支持部を有するとともに、下面には突起を有し、その突起と屋根下地材との間に楔状介装材を介装するようになっている。
【０００３】
この種の支持瓦を用いた瓦葺き構造が例えば特許文献１に開示されている。この従来構成の瓦葺き構造においては、屋根上装置を保持する支持部を有する支持瓦において、その瓦本体の下面には屋根下地材に対向する突起が下方へ突出形成されるとともに、該突起と屋根下地材との間には楔状介装材が介装されている。前記突起は、瓦本体下面の両側部に一対設けられ、支持瓦を一定の高さに支持するようになっている。
【０００４】
そして、支持瓦を屋根下地材上に敷設する場合には、作業者が楔状介装材を目視により、瓦本体下面の突起と屋根下地材との間に介装されるように配置した後、ビスで支持瓦を屋根下地材に固定するようになっている。
【先行技術文献】
【特許文献】
【０００５】
【特許文献１】特開平９−１１９１９０号公報
【発明の概要】
【発明が解決しようとする課題】
【０００６】
前記特許文献１に記載されている従来構成の支持瓦を用いた瓦葺き構造においては、楔状介装材を瓦本体下面の突起と屋根下地材との間に介装されるように配置する場合、瓦本体と屋根下地材との間の隙間が狭く、作業者が目視によって楔状介装材を突起の直下に位置するように精度良く位置合せすることは難しいという問題があった。さらに、瓦本体下面の突起は楔状介装材の傾斜面上に載ることから、突起を楔状介装材の傾斜面上の所定位置に載るように位置決めすることは難しく、そのような作業が煩雑で、作業時間を要するという欠点があった。
【０００７】
加えて、瓦本体下面の突起が瓦本体下面の両側部に２つ設けられていることから、作業者が目視により、それら２つの突起に対して楔状介装材を精度良く位置合せし、支持瓦をバランス良く敷設することは困難であった。
【０００８】
本発明は、このような従来技術に存在する問題点に着目してなされたものであり、その目的とするところは、瓦本体下面の突起と屋根下地材との間に楔状介装材を容易かつ精度良く介装させることができる支持瓦における介装用治具を提供することにある。
【課題を解決するための手段】
【０００９】
上記の目的を達成するために、本発明の支持瓦における介装用治具では、屋根上装置を支持する支持部を有する支持瓦の瓦本体の下面に屋根下地材に対向する突起を形成し、前記屋根下地材と突起との間に楔状介装材を介装させた支持瓦の瓦葺き構造を形成する際に用いられ、前記楔状介装材を屋根下地材と突起との間に介装させるための治具であって、前記治具を構成する治具本体には、前記楔状介装材を着脱可能に把持する把持部を備えることを特徴とする。
【００１０】
前記把持部は、楔状介装材を着脱可能に挟持する一対の挟持体で構成されていることが好ましい。
前記挟持体の少なくとも一方はゴム材料で形成されていることが好ましい。
【００１１】
前記治具本体は金属により断面Ｌ字状に形成されたアングル材で構成されていることが好ましい。
前記挟持体は、アングル材の外側面に対して直交方向に平行に延びるように突出形成されていることが好ましい。
【００１２】
前記突起は瓦本体の下面の両側部に設けられ、それらの突起と屋根下地材との間に楔状介装材が介装されるとともに、治具本体には前記楔状介装材を着脱可能に把持する把持部が設けられていることが好ましい。
【発明の効果】
【００１３】
本発明の支持瓦における介装用治具によれば、瓦本体下面の突起と屋根下地材との間に楔状介装材を容易かつ精度良く介装させることができるという効果を奏する。
【図面の簡単な説明】
【００１４】
【図１】実施形態の支持瓦における介装用治具の一対の挟持体間に楔状介装材を挟持した状態及び挟持する前の状態を示す斜視図。
【図２】屋根下地材上に普通瓦及び支持瓦を敷設する前の状態を示す分解斜視図。
【図３】支持瓦を上方から見た状態を示す斜視図。
【図４】支持瓦を下方から見た状態を示す斜視図。
【図５】支持瓦及び普通瓦を屋根下地材上に敷設した状態において、瓦本体下面の突起と屋根下地材との間に楔状介装材が介装された状態を示す縦断面図。
【図６】支持瓦及び普通瓦を屋根下地材上に敷設した状態において、瓦本体下面の突起と屋根下地材との間に楔状介装材が介装された状態を示す横断面図。
【図７】介装用治具の作用を示す図であって、介装用治具を支持瓦の一側部から支持瓦と屋根下地材との間に挿入する状態を示す平面図。
【図８】図７の状態から、介装用治具を支持瓦と屋根下地材との間に挿入した後の状態を示す平面図。
【図９】図８の状態から、介装用治具を前方へ移動させ、介装用治具の一対の挟持体に挟持された楔状介装材を瓦本体下面の突起と屋根下地材との間に介装させた状態を示す平面図。
【発明を実施するための形態】
【００１５】
以下に、本発明を具体化した実施形態を、図１〜図９に従って説明する。
図２に示すように、屋根下地材１１を構成する下地１２上には、前後方向（図２の左下から右上方向）に平行に延びる垂木１３が一定間隔をおいて固定されている。これらの垂木１３上には、左右方向（図２の左上から右下方向）に平行に延びる瓦桟１４が一定間隔をおいて固定され、瓦を位置決めするようになっている。隣接する垂木１３上には、支持瓦１５を支持するためのベース板１６が、その前端縁が瓦桟１４に当接するように固定されている。なお、屋根下地材１１は、前記下地１２、垂木１３、瓦桟１４、ベース板１６等により構成されている。
【００１６】
そして、多数枚の普通瓦（和瓦）１７が屋根下地材１１上に敷設されるとともに、普通瓦１７の一部が支持瓦１５に代えて敷設されるようになっている。図５に示すように、前記支持瓦１５は、太陽光発電用のソーラーパネル、温水器等の屋根上装置１８を支持するためのものである。
【００１７】
図３に示すように、支持瓦１５を構成する瓦本体１９は普通瓦１７と同様に波板状に形成され、その上面中央部には屋根上装置１８を支持するための支持部２０が突設されている。図５に示すように、この支持部２０に設けられた支持凹部２０ａには、屋根上装置１８の支持脚１８ａが支持され、その支持脚１８ａ上に屋根上装置１８が支持されている。また、図２に示すように、瓦本体１９には支持部２０を囲む４箇所にビス挿通孔２１が開口され、それらのビス挿通孔２１にビス２２を挿通して前記ベース板１６に螺入することにより、支持瓦１５を屋根下地材１１に固定できるようになっている。
【００１８】
図３及び図４に示すように、瓦本体１９下面の両側部には、底面凹状をなす突起２３が下方へ突出形成されている。これらの突起２３を利用して支持瓦１５を一定の高さに維持するようになっている。また、図４及び図５に示すように、瓦本体１９下面の後端縁には一定幅で下方へ突出する係止段部１５ａが設けられ、瓦桟１４の後面に係止されるようになっている。
【００１９】
図１、図５及び図６に示すように、前記ベース板１６と各突起２３との間には、断面直角三角形状をなす楔状介装材２４がそれぞれ介装されている。この楔状介装材２４は硬質の合成樹脂により形成され、その傾斜面には横方向に平行に延びる縞状の凹凸部よりなる滑り止め部２５が設けられている。この滑り止め部２５により、瓦本体１９下面の突起２３が楔状介装材２４上に支持されたとき滑り止めされる。このようにして、支持瓦１５が屋根下地材１１上に敷設されることにより、支持瓦１５の瓦葺き構造が形成される。なお、普通瓦１７は、常法に従って支持瓦１５以外の部分に敷設され、瓦葺き構造が形成される。
【００２０】
図１及び図５に示すように、支持瓦１５の瓦葺き構造を形成するに当たり、前記楔状介装材２４を屋根下地材１１のベース板１６と瓦本体１９下面の突起２３との間に介装させるために介装用治具２６が使用される。この介装用治具２６を構成する治具本体は、金属により断面Ｌ字状に形成されたアングル材２７で構成されている。前記金属としては、アルミニウム、アルミニウム合金等の軽量金属が好適に用いられる。
【００２１】
前記アングル材２７の外側面には、楔状介装材２４を着脱可能に把持する把持部としての各一対の挟持体２８、２９が左右位置に一対配置され、ねじ３０をアングル材２７の貫通孔３１を通して挿入することによってアングル材２７に固着されている。各挟持体２８、２９は、アングル材２７の外側面に対して直交方向に平行に延びるように突出形成され、楔状介装材２４の装着及び脱着が円滑に行われるようになっている。前記アングル材２７及び挟持体２８、２９の高さは、楔状介装材２４の最厚肉部の高さより低く設定され、楔状介装材２４が介装用治具２６によりベース板１６と瓦本体１９下面の突起２３との間に介装され、支持瓦１５がベース板１６に固定された後に一対の挟持体２８、２９を楔状介装材２４から脱着可能に構成されている。また、アングル材２７の左右位置に設けられた各一対の挟持体２８、２９間の間隔は、両挟持体２８、２９に挟持される楔状介装材２４が瓦本体１９下面の各突起２３の真下に位置するように予め設定されている。
【００２２】
前記挟持体２８、２９はゴム材料で四角柱状に形成されている。これらの挟持体２８、２９は、楔状介装材２４に対する挟持力を得るために少なくとも一方が弾力性を有するゴム材料で形成されていることが好ましいが、例えば一方の挟持体２８がゴム材料で形成され、他方の挟持体２９が樹脂材料で形成されていてもよい。
【００２３】
図５に示すように、楔状介装材２４がベース板１６と瓦本体１９下面の突起２３との間に介装された後、支持瓦１５がベース板１６に固定された状態では、支持瓦１５の前端部とその前に位置する普通瓦１７の後端上面との間に、例えば３ｍｍ程度の間隙ｄが形成されるように構成されている。このような間隙ｄを形成することにより、支持瓦１５上に重量物である屋根上装置１８が支持されたとき、屋根上装置１８の重さによって支持瓦１５と普通瓦１７との接触箇所に発生する損傷を抑えるようになっている。
【００２４】
次に、以上のように構成された本実施形態の作用を説明する。
さて、支持瓦１５を屋根下地材１１上に敷設する場合には、支持瓦１５及びその両側に隣接する普通瓦１７が敷設されていない状態で行われる。まず、支持瓦１５をベース板１６上に配置する。一方、介装用治具２６を構成するアングル材２７の各一対の挟持体２８、２９間には、それぞれ楔状介装材２４を、それらの厚肉部側がアングル材２７の外側面に当接するように挟持しておく。このとき、介装用治具２６の挟持体２８、２９はゴム材料で形成されていることから、その弾力性に抗して一対の挟持体２８、２９を少し広げて楔状介装材２４を各挟持体２８、２９間に速やかに挿入することができる。
【００２５】
そして、図７に示すように、瓦本体１９下面の突起２３の後方位置において、支持瓦１５の一側方に支持瓦１５の側縁に直交して延びるように介装用治具２６を配置する。その状態から、図７の矢印に示すように、介装用治具２６を支持瓦１５とベース板１６との間の隙間へ瓦桟１４に対して平行に真っ直ぐに挿入する。
【００２６】
次いで、図８に示すように、支持瓦１５の一側方から支持瓦１５の下方を覗き込んで、介装用治具２６をその手前側の両挟持体２９間に挟持されている楔状介装材２４が瓦本体１９下面の突起２３に対し横方向において対応する位置で止める。その状態から、図８の破線矢印に示すように、介装用治具２６を、瓦桟１４に対して平行状態を維持しながら前方へ動かす。このとき、介装用治具２６の左右一対の各挟持体２８、２９に挟持された楔状介装材２４間の間隔は瓦本体１９下面の突起２３間の間隔に対応するように設定されていることから、介装用治具２６の他方の両挟持体２８間に挟持されている楔状介装材２４は瓦本体１９下面の他方の突起２３に対向させることができる。
【００２７】
続いて、図９に示すように、４本のビス２２を支持瓦１５の上方から支持瓦１５のビス挿通孔２１に挿通し、ベース板１６に螺入することにより、支持瓦１５をベース板１６に固定することができる。その後、介装用治具２６のアングル材２７を瓦桟１４に対して平行状態を維持しながら後方へ引くと、各一対の挟持体２８、２９が楔状介装材２４から速やかに脱着される。このとき、各一対の挟持体２８、２９は平行に延びるように形成されていることから、脱着操作を円滑に行うことができる。
【００２８】
図５に示すように、この状態では、瓦本体１９下面の突起２３とベース板１６との間に楔状介装材２４が強固に固定されるとともに、支持瓦１５の前端部と支持瓦１５の前方に隣接して配置されている普通瓦１７の後端上面との間に微小な間隙ｄが形成される。このように、本実施形態の介装用治具２６を使用することにより、楔状介装材２４を瓦本体１９下面の突起２３と屋根下地材１１との間に簡単かつ迅速に介装させることができる。
【００２９】
前記支持瓦１５の敷設後には、支持瓦１５の支持部２０の支持凹部２０ａにソーラーパネル等の屋根上装置１８の支持脚１８ａを固定し、その支持脚１８ａ上に屋根上装置１８を支持することにより、屋根上に屋根上装置１８を敷設することができる。
【００３０】
従って、この実施形態によれば、以下のような効果を得ることができる。
（１）本実施形態の介装用治具２６は、そのアングル材２７に楔状介装材２４を着脱可能に挟持する挟持体２８、２９を備えている。このため、挟持体２８、２９にそれぞれ楔状介装材２４を挟持した状態で楔状介装材２４を屋根下地材１１と瓦本体１９下面の突起２３との間に容易に位置調節して装着できるとともに、支持瓦１５が屋根下地材１１に固定された後に介装用治具２６の両挟持体２８、２９を楔状介装材２４から脱着させることができる。
【００３１】
従って、本実施形態の介装用治具２６によれば、瓦本体１９下面の突起２３と屋根下地材１１との間に楔状介装材２４を容易かつ精度良く介装させることができるという効果を奏する。
【００３２】
（２）前記楔状介装材２４を挟持する各一対の挟持体２８、２９の全てがゴム材料で形成されている。そのため、挟持体２８、２９が良好な弾力性を発現でき、各一対の挟持体２８、２９間への楔状介装材２４の装着操作及び楔状介装材２４から各一対の挟持体２８、２９の脱着操作を容易に行うことができる。
【００３３】
（３）前記介装用治具２６の治具本体は金属により断面Ｌ字状に形成されたアングル材２７で構成されている。このため、治具本体の強度及び剛性を高めることができ、介装用治具２６の取扱性を向上させることができる。
【００３４】
（４）前記介装用治具２６の各一対の挟持体２８、２９は、アングル材２７の外側面に対して直交方向に平行に延びるように突出形成されている。従って、各一対の挟持体２８、２９間への楔状介装材２４の装着操作及び楔状介装材２４から各一対の挟持体２８、２９の脱着操作を円滑に行うことができる。
【００３５】
（５）前記突起２３は瓦本体１９下面の両側部に設けられ、それらの突起２３と屋根下地材１１との間に楔状介装材２４が介装されるとともに、治具本体には前記楔状介装材２４を着脱可能に挟持する挟持体２８、２９が一対設けられている。このため、本実施形態の介装用治具２６を用いることにより、瓦本体１９下面に設けられた２つの突起２３に対し、各突起２３と屋根下地材１１との間に楔状介装材２４を簡易な操作で同時に介装させることができる。
【００３６】
なお、この実施形態は、次のように変更して具体化することも可能である。
・前記介装用治具２６の把持部として、実施形態における各一対の挟持体２８、２９をそれぞれ例えば断面コの字状等の形状に一体形成して使用してもよい。この場合、一体形成された各挟持体２８、２９により、構成を簡単にして、瓦本体１９下面の突起２３と屋根下地材１１との間に楔状介装材２４を容易かつ精度良く介装させることができる。
【００３７】
・前記瓦本体１９下面の突起２３を１つにし、その突起２３に対応させるように、介装用治具２６をいずれかの挟持体２８、２９のみで構成してもよい。この場合、瓦本体１９の突起２３は、瓦本体１９下面の中央部に設けることが好ましい。
【００３８】
・前記治具本体としてのアングル材２７を伸縮可能に構成し、左右に位置する挟持体２８、２９間の間隔を調節可能に構成してもよい。
・前記図８の状態において、介装用治具２６のアングル材２７上に、支持瓦１５の右側縁に対応する位置に目印を設けておいてもよい。この場合、支持瓦１５とベース板１６との間の隙間への介装用治具２６の挿入を速やかに行うことができると同時に、瓦本体１９下面の突起２３に対する楔状介装材２４の位置合せを精度良く行うことができる。
【００３９】
・前記介装用治具２６の挟持体２８、２９の少なくとも一方を、熱可塑性エラストマー等の弾性材料で形成してもよい。
・前記介装用治具２６の治具本体を、四角筒状、円筒状等の筒材、四角板状、断面コの字状等の板材等で形成してもよい。
【００４０】
・前記支持瓦１５及び普通瓦１７を、平板状の瓦等の他の種類の瓦で構成してもよい。
【符号の説明】
【００４１】
１１…屋根下地材、１５…支持瓦、１８…屋根上装置、１９…瓦本体、２０…支持部、２３…突起、２４…楔状介装材、２６…介装用治具、２７…治具本体としてのアングル材、２８、２９…把持部としての一対の挟持体。
【図１】
2016047991.tif 000003
【図２】
2016047991.tif 000004
【図３】
2016047991.tif 000005
【図４】
2016047991.tif 000006
【図５】
2016047991.tif 000007
【図６】
2016047991.tif 000008
【図７】
2016047991.tif 000009
【図８】
2016047991.tif 000010
【図９】
2016047991.tif 000011